(57)【要約】【課題】  塗布容器において、塗布部や被塗布物の異物混入液等が容器本体の内部に取り込まれないようにすること。【解決手段】  容器本体１０から突出して設けられるノズル２２の周囲に塗布部２３を設け、容器本体１０の圧縮によりノズル２２の吐出口２２Ａから吐出される内容液を塗布部２３に含ませる塗布容器１であって、ノズル２２の吐出口２２Ａを塗布部２３の上端より低い位置に配置し、塗布部２３とノズル２２との間に塗布部２３の倒れ止め２４が設けられてなるもの。【選択図】  図２
2008024320.tif 000002
【特許請求の範囲】
【請求項１】
容器本体から突出して設けられるノズルの周囲に塗布部を設け、容器本体の圧縮によりノズルの吐出口から吐出される内容液を塗布部に含ませる塗布容器であって、
ノズルの吐出口を塗布部の上端より低い位置に配置し、
塗布部とノズルとの間に塗布部の倒れ止めが設けられ、
前記倒れ止めが、塗布部の上端より低く、ノズルの吐出口より高い位置まで形成されてなる塗布容器。
【請求項２】
前記塗布部とノズルとの間に、塗布部の基部より連続し、塗布部の基部より低い液回収部が設けられてなる請求項１又は２に記載の塗布容器。
【請求項３】
前記塗布部の周囲に、塗布部の基部より高く、塗布部の上端より低い液垂れ防止壁が設けられ、液垂れ防止壁と塗布部との間に液回収溝が設けられてなる請求項１〜３のいずれかに記載の塗布容器。
【発明の詳細な説明】
【技術分野】
【０００１】
本発明は洗剤等の液体を塗布する塗布容器に関する。
【背景技術】
【０００２】
従来、塗布容器として、特許文献１、２に記載の如く、容器本体に設けられる吐出口の周囲に塗布部を設け、容器本体の圧縮により吐出口から吐出される内容液を塗布部に含ませるものがある。
【特許文献１】特開平10-15472
【特許文献２】特開2000-177767
【発明の開示】
【発明が解決しようとする課題】
【０００３】
特許文献１に記載の塗布容器では、吐出口が容器本体から突出して形成されていないから、塗布部に一旦付着した液が塗布部の基部に流れ、吐出口から容器本体の内部に回収される。特に、特許文献１に記載の塗布容器は、塗布部の基部を吐出口に向けて下がる傾斜面としたから、塗布部に付着した液が吐出口に向けて流れ易い。ところが、塗布部に付着した液は、被塗布物の汚れ、水等の異物が混入しており、この異物混入液等が吐出口から容器本体の内部に回収されると、容器本体の内容液が異物との接触によって化学変化する等、変質するおそれがある。
【０００４】
特許文献２に記載の塗布容器では、吐出口が弾性部材に切り込みを入れたスリットからなるが、被塗布物に接触させた塗布部がたわむと、塗布部と吐出口、又は被塗布物と吐出口が隣接又は接触し、容器本体の圧縮の解除によって吐出口に作用する吸引力が塗布部又は被塗布物の異物混入液等を容器本体の内部に取り込む。この場合にも、容器本体の内容液が異物との接触によって変質するおそれがある。
【０００５】
また、吐出口が塗布部より低い位置にある塗布容器では、塗布部に残った液が重力により容器本体の内部に戻る不都合もある。
【０００６】
本発明の課題は、塗布容器において、塗布部や被塗布物の異物混入液等が容器本体の内部に取り込まれないようにすることにある。
【課題を解決するための手段】
【０００７】
請求項１の発明は、容器本体から突出して設けられるノズルの周囲に塗布部を設け、容器本体の圧縮によりノズルの吐出口から吐出される内容液を塗布部に含ませる塗布容器であって、ノズルの吐出口を塗布部の上端より低い位置に配置し、塗布部とノズルとの間に塗布部の倒れ止めが設けられ、倒れ止めが、塗布部の上端より低く、ノズルの吐出口より高い位置まで形成されたものである。
【発明を実施するための最良の形態】
【０００８】
図１は塗布容器を示す断面図、図２はノズル付キャップを示す断面図である。
【０００９】
塗布容器１は、液体が収容される容器本体１０と、容器本体１０に螺着されるノズル付キャップ２０とを有する。尚、塗布容器１の流通段階や再使用前の長期保管時には、ノズル付キャップ２０にカバーキャップ３０が螺着され、カバーキャップ３０の内面プラグ３１がキャップ２０のノズル２２に挿し込まれて該ノズル２２を閉鎖する。
【００１０】
容器本体１０は、使用時に手で握る部分となる有底筒状部１１と、筒状部１１の底部を化粧台等に載置面に置いた正立状態で、筒状部１１の中心軸に対し斜め上方に屈曲する中心軸を有する開口部１２を備え、開口部１２の外周のねじ部１２Ａにノズルキャップ２０を螺着可能にする。容器本体１０の筒状部１１はスクイズ性を有し、手の握り力により圧縮変形して内容液を開口部１２に設けたノズルキャップ２０から絞り出され、握り力の解放により圧縮を解除されて復元する。容器本体１０に収容される内容液は、例えば洗剤であり、他の物質との混合によって分解され、化学変化を起こして変質する不安定な物質、例えば、過酸化水素系漂白剤（過酸化水素水）、次亜塩素酸ナトリウム等を含む。
【００１１】
ノズル付キャップ２０は、容器本体１０の開口部１２のねじ部１２Ａに螺着されるカップ状取付部２１と、取付部２１の天端面２１Ａの中央部から外方に突出するノズル２２とを有する。ノズル２２は、正立状態にある容器本体１０から開口部１２の中心軸に沿う斜め上方に突出して設けられ、天端面２１Ａの中央孔に連なる吐出口２２Ａを先端に備える。天端面２１Ａの上面は、中央部に向かって陥没しており、好ましくは中央部を頂点とする円錐面状をなす。
【００１２】
ノズル付キャップ２０は、取付部２１の天端面２１Ａの上面におけるノズル２２の周囲に塗布部２３を設ける。塗布部２３は取付部２１の天端面２１Ａの上面を基部とし、取付部２１の中心軸に概ね直交する面を上端（先端塗布面）とする。塗布部２３の先端塗布面が容器本体１０の筒状部１１の中心軸に対して傾斜し、使用性は良い。
【００１３】
本実施形態の塗布部２３は取付部２１の天端面２１Ａの上面に植設された樹脂製の多数の刷毛からなるブラシ状とされる。刷毛は、被塗布物に液を塗布するに際し、容器本体１０の圧縮によりノズル２２の吐出口２２Ａから吐出された液を一時貯留する如くに含み、ブラッシング動作に応じてこれを被塗布物に供給する。
【００１４】
ノズル付キャップ２０は、ノズル２２の吐出口２２Ａを塗布部２３の上端より低い位置に配置し、塗布部２３とノズル２２との間に塗布部２３の倒れ止め２４を設ける。倒れ止め２４は、塗布部２３の上端より低く、ノズル２２の吐出口２２Ａより高い位置まで形成される。本実施例の倒れ止め２４は筒状体をなす。倒れ止め２４は筒状体の上端部を除く領域に、天端面２１Ａの上面を起点とする液回収スリットを備える。尚、倒れ止め２４はノズル２２を囲む多数の棒状体を天端面２１Ａの上面から立上げ、相隣る棒状体の間隙を塗布部２３の刷毛太さより狭くするものでも良い。
【００１５】
ノズル付キャップ２０は、ノズル２２と塗布部２３との間に、塗布部２３の基部（天端面２１Ａの上面）より連続し、塗布部２３の基部より低い液回収部２５を設ける。
【００１６】
ノズル付キャップ２０は、取付部２１の天端面２１Ａまわりの外周で、塗布部２３の周囲に、塗布部２３の基部より高く、塗布部２３の上端より低い液垂れ防止壁２６を設ける。液垂れ防止壁２６と塗布部２３の外周との間には、環状の液回収溝２７を設ける
【００１７】
従って、塗布容器１は、逆さにした容器本体１０の圧縮によりノズル２２の吐出口２２Ａから吐出される内容液を、被塗布物を介して、又は直接的に塗布部２３の全域に拡散するように供給して該塗布部２３に含ませる。この塗布部２３を被塗布物に擦り付け塗布作業が行なわれる。塗布容器１は、塗布作業後に、容器本体１０の底部を化粧台上等の載置面に置いた正立状態で再使用のために待機される。
【００１８】
本実施例によれば以下の作用効果を奏する。
(a)塗布容器１は、ノズル２２を容器本体１０から突出して設けたから、ノズル２２の周囲に設けてある塗布部２３に付着した異物混入液等が重力等により該塗布部２３の基部に流れても、ノズル２２の吐出口２２Ａに到達することはなく、吐出口２２Ａから容器本体１０の内部に回収されることがない。
【００１９】
(b)ノズル２２の吐出口２２Ａを塗布部２３の上端より低い位置に配置し、塗布部２３とノズル２２との間に塗布部２３の倒れ止め２４が設けられた。これにより、被塗布物に接触した塗布部２３が撓んでも、塗布部２３とノズル２２の吐出口２２Ａ、又は被塗布物とノズル２２の吐出口２２Ａが近接又は接触しない。従って、塗布部２３又は被塗布物の異物、特に異物が混入した液が、容器本体１０の圧縮の解除によってノズル２２の吐出口２２Ａに作用する吸引力により、容器本体１０の内部に取り込まれることがない。
【００２０】
(c)上述(a)、(b)により、塗布部２３又は被塗布物の異物混入液等が容器本体１０の内部に取り込まれることがないから、容器本体１０の内容液が異物との接触によって変質するおそれがない。
【００２１】
(d)倒れ止め２４は、塗布部２３の上端より低いから、塗布部２３の塗布作業を阻害しないし、ノズル２２の吐出口２２Ａより高いから、塗布部２３とノズル２２の吐出口２２Ａ、又は被塗布物とノズル２２の吐出口２２Ａの近接又は接触を確実に回避する。
【００２２】
(e)塗布部２３とノズル２２との間に、塗布部２３の基部より連続し、塗布部２３の基部より低い液回収部２５が設けられた。塗布部２３の基部に流れた異物混入液等をより低位の液回収部２５に確実に回収できる。回収液は、次回塗布時に使用し、又は廃棄できる。
【００２３】
(f)塗布部２３の周囲に、塗布部２３の基部より高く、塗布部２３の上端より低い液垂れ防止壁２６が設けられ、液垂れ防止壁２６と塗布部２３との間に液回収溝２７が設けられた。塗布部２３の外周から垂れ落ちようとする液を液垂れ防止壁２６により止め、液回収溝２７に確実に回収できる。回収液は、次回塗布時に使用し、又は廃棄できる。
【００２４】
尚、塗布部２３は可撓性の部材、軟質部材で塗布作業等の負荷をかけて変形可能なものが採用され、スポンジ、不織布等からなるものでも良い。また、倒れ止め２４は液回収スリット（又は孔）のない、全面を閉じた筒状体からなるものでも良い。
【図面の簡単な説明】
【００２５】
【図１】図１は塗布容器を示す断面図である。
【図２】図２はノズル付キャップを示す断面図である。
【符号の説明】
【００２６】
１  塗布容器
１０  容器本体
２２  ノズル
２２Ａ  吐出口
２３  塗布部
２４  倒れ止め
２５  液回収部
２６  液垂れ防止壁
２７  液回収溝
【図１】
2008024320.tif 000003
【図２】
2008024320.tif 000004